(57)【要約】【課題】１枚の表示パネルをスタンドにて支持して使用でき、また表示パネルを複数枚連結してマルチモニタを容易に形成することもできる画像表示装置を提供することにある。【解決手段】画像を表示する画面部１１及びこの画面部１１に取り付けられた枠部１２を有する表示パネル１と、この表示パネル１を支持する支持部材とを備える。支持部材は、少なくとも棒状部を有し、表示パネル１の枠部１２は、支持部材の棒状部を画面部１１と略平行な方向から差し込むための挿入孔を有する。【選択図】  図１
2004309906.tif 000002
【特許請求の範囲】
【請求項１】
画像を表示する画面部及びこの画面部に取り付けられた枠部を有する表示パネルと、この表示パネルを支持する支持部材とを備え、
前記支持部材は、少なくとも棒状部を有し、
前記表示パネルの枠部は、支持部材の前記棒状部を前記画面部の表示面と略平行な方向から差し込むための挿入孔を有してなることを特徴とする画像表示装置。
【請求項２】
枠部は、上下左右の４側面のうち、少なくとも上又は下の側面と左又は右の側面に、それぞれ少なくとも２個の挿入孔を有し、支持部材は、枠部の１側面における２個の挿入孔にそれぞれ一端側の棒状部が差し込まれる２本の支柱と、各支柱の他端側にそれぞれ設けられた台座とを有する左右一対の支持脚からなる請求項１に記載の画像表示装置。
【請求項３】
左右一対の支持脚が、表示パネルからの突出寸法をそれぞれ独立して調整可能とされた請求項２に記載の画像表示装置。
【請求項４】
支持脚は、支柱を台座に対して角度調整可能に固定する角度調整部をさらに有してなる請求項２又は３に記載の画像表示装置。
【請求項５】
支持脚は、左右の何れにも共用可能な形状に形成されている請求項２〜４の何れか１つに記載の画像表示装置。
【請求項６】
表示パネルの枠部は、上下左右の４側面のうち、上下の側面及び／又は左右の側面にそれぞれ１個以上の挿入孔が設けられ、支持部材は、両端に棒状部を有し、縦及び／又は横に隣接して並設した複数枚の表示パネルの挿入孔に両端の棒状部がそれぞれ差し込まれて表示パネルを相互に連結する連結棒である請求項１に記載の画像表示装置。
【請求項７】
縦及び／又は横に隣接して並設した複数枚の表示パネルの左右両側に配置され、左右両側の表示パネルの挿入孔に一端を差し込んだ連結棒の他端を差し込む孔部を有する左右一対のスタンド部材をさらに備えてなる請求項６に記載の画像表示装置。
【発明の詳細な説明】
【０００１】
【発明の属する技術分野】
本発明は、画像表示装置に関し、さらに詳しくは、液晶ディスプレイやプラズマディスプレイ等の薄型の表示パネルを１枚乃至複数枚支持する支持構造に関する。
【０００２】
【従来の技術】
従来この種の画像表示装置としては、図１１に示すように、表示パネルを１脚式スタンドで支持するもの（例えば、シャープ製液晶カラーモニターＬＬ−Ｔ２０２０−Ｈや特許文献１を参照）、図１２に示すもの等のように、表示パネルを２脚式スタンドで支持するもの（例えば、シャープ製ＢＳデジタルハイビジョンプラズマテレビＰＺ−５０ＢＤ３や特許文献２、３、４を参照）が公知である。
【０００３】
【特許文献１】
特開平８−１６０８７４号公報
【特許文献２】
特開平５−１１７０７号公報
【特許文献３】
特開平１０−１２４１８６号公報
【特許文献４】
特許第３２９６７７３号公報
【０００４】
【発明が解決しようとする課題】
従来の画像表示装置では、図１１に示すように、表示パネル１００の転倒角度、傾きの抑制、安定性に配慮した構造とするには、必然的にスタンド１０１を大きくしなければならず、そのため材料費や輸送梱包コストが高くなるという問題があった。また、図１１の画像表示装置の場合、１脚式スタンド１０１は伸縮可能な構造であり、スタンド１０１を伸縮させて表示パネル１００の高さ調整を行うものであるが、このような高さ調節機能を持たせたり、あるいは表示パネル１００が９０°回転可能なポートレート機能を持たせることとなると、複雑な構造を余儀なくされ、さらに高コストとなっていた。
また、特許文献１の画像表示装置では、方向ピン先端のレールガイドに対して背面度当たり部が上下スライド可能で、かつ螺着具固定ネジの締め付けによって画像表示モニターの高さ位置を固定できる構造であるため、モニターの高さ調整機能を有しており、さらに取り付け板側のユニバーサルジョイントのボールを支点として方向ピンを軸心廻りに回動させることにより、モニターの向きを９０°変更可能ではあるが、このようなスタンド構造は複雑であり、部品点数も多いため、材料費や輸送梱包コストが高くなることが予想される。また、この画像表示装置は、取り付け板を車のダッシュボードのような設置面にビスにて固定するものであり、室内で使用するには設置場所を自由に変えることができない不便さがある。
【０００５】
一方、２脚式スタンドの場合、図１２に示す従来の画像表示装置でも、表示パネル１１０の転倒角度、傾きの抑制、安定性に配慮した構造とするには、必然的にスタンド１１１を大きくしなければならず、そのため材料費や輸送梱包コストが高くなるという問題があった。特に、表示パネル１１０の背面部にスタンド１１１を取り付けるため、装置全体の厚みが増し、輸送梱包費が高くなっていた。また、この画像表示装置の場合、表示パネル１１０の高さ調整機能やポートレート機能は有していないが、これらの機能を持たせることとなると、構造が複雑化し、コストアップとなる。
特許文献２の画像表示装置（公報の図３〜図７参照）、特許文献３の画像表示装置（公報の図３参照）及び特許文献４の画像表示装置（公報の図３参照）は、それぞれ表示パネルの高さ調整機能やポートレート機能は有しておらず、これらの機能を持たせることとなると、構造が複雑化し、コストアップとなる。
【０００６】
また、最近では、薄型表示パネルをパソコン用として使用するだけではなく、テレビ用やモニタ用等に使用するなど多様化しており、それに伴って様々な場所で設置されることも考えられてきている。このような観点から、画像表示装置の使用方法の一つとして、複数の表示パネルを縦横隣接して並べて全体的に画面面積を拡大し、これらを１つの大きな画面として画像を表示する、あるいは各表示パネル毎に同じ又は異なる画像を表示するマルチモニタ化も考えられるが、上記従来の画像表示装置では基本的にこのような使い方を考慮して設計されていないため、あえてマルチモニタ化しようとするなら、２、３台の画像表示装置を普通に横に並べて小さなワイド画面をつくる程度である。
また、複数の表示パネルからマルチモニタを構成するものとして下記の特許文献５の画像表示装置が公知であるが、１つの表示パネルをスタンドにて支持して使用する場合は前提としておらず、したがって表示パネルの高さ調整機能やポートレート機能等についても考えられていない。
【０００７】
【特許文献５】
特開２００１−１００６６６号公報
【０００８】
本発明の主要な目的の一つは、１枚の表示パネルをスタンドにて支持して使用でき、また表示パネルを複数枚連結してマルチモニタを容易に形成することもできる画像表示装置を提供することにある。
また、本発明の主要なもう一つの目的は、１枚の表示パネルをスタンドにて支持して使用する場合において、小型でかつ簡単なスタンド構造でありながら、表示パネルの転倒角度、傾きの抑制、安定性を確保できると共に、表示パネルの高さ調整機能やポートレート機能を備える画像表示装置を低コストにて提供することにある。
【０００９】
【課題を解決するための手段】
かくして、本発明によれば、画像を表示する画面部及びこの画面部に取り付けられた枠部を有する表示パネルと、この表示パネルを支持する支持部材とを備え、
前記支持部材は、少なくとも棒状部を有し、
前記表示パネルの枠部は、支持部材の前記棒状部を前記画面部の表示面と略平行な方向から差し込むための挿入孔を有してなるが提供される。
ここで、本発明において、「表示パネルを支持する」とは、表示パネルを下方から支持する場合のみに限らず、吊り下げ状に支持する場合や、側方から片持ち梁状に支持する場合、複数枚の表示パネルが連結することにより相互に支持させる場合も含むことを意味する。
【００１０】
このように構成された本発明の画像表示装置によれば、（１）スタンドが小型かつ簡単な構造であり、低コストにて製作することができる画像表示装置、あるいは（２）表示パネルを支持部材にて複数枚連結して画面面積が拡大したマルチモニタを容易に形成することができる画像表示装置を提供することができる。つまり、ユーザー側が要望する様々なシーンにおいて画像表示装置を使用することができる。
ここで、本発明において、表示パネルとは、液晶ディスプレー、プラズマディスプレー等の薄型ディスプレーを意味し、さらに具体的には、縦横寸法が１６．５  ×２２ｃｍ〜１６５×２２０ｃｍの大きさのものを対象としている。
【００１１】
本発明において、上記（１）の画像表示装置の場合、枠部は、上下左右の４側面のうち、少なくとも上又は下の側面と左又は右の側面に、それぞれ少なくとも２個の挿入孔を有し、支持部材は、枠部の１側面における２個の挿入孔にそれぞれ一端側の棒状部が差し込まれる２本の支柱と、各支柱の他端側にそれぞれ設けられた台座とを有する左右一対の支持脚からなる具体構成とすることができる。つまり、この画像表示装置は、２本の支持脚にて矩形の表示パネルを支持する構造であって、表示パネルを通常の横長状態は無論のこと、縦長状態（ポートレート状態）で立てて使用できるように、対向する長辺側の側面の少なくとも一方（上及び／又は下の側面）と、対向する短辺側の側面の少なくとも一方（左及び／又は右の側面）に、それぞれ例えば２個の挿入孔を形成する。
このように構成することにより、
▲１▼画面の大きな表示パネルであっても一対の支持脚により２分割で支持することができるので、１脚式に比して強度的に優れ、かつ画面の左右への傾きを無くして安定させる構造（水平度を保ち易い構造）として有利である。また、スタンド構造が簡素で済み、低コストにて量産することができる。
▲２▼長辺側の側面の各挿入孔に支持脚を差し込んで立てれば、表示パネルが横長の通常の使用状態とすることができることに加え、短辺側の側面の各挿入孔に支持脚を差し込んで立てることにより表示パネルの向きが横長から縦長へ９０°変更できるポートレート機能を備えた画像表示装置を得ることができる。
▲３▼スタンド構造は、２本の支持脚を表示パネルの枠部の挿入孔に差し込むだけの簡単な構造であり、かつ通常使用状態とポートレート使用状態との切換えは、各支持脚を別の挿入孔へ入れ変えるだけであり、複雑な機構を要しないので、ポートレート機能付きスタンド構造の簡素化及び小型化を図ることができ、製作費及び輸送梱包費の低コスト化を図ることができる。
なお、安定性を確保するために、表示パネルの１側面に設けられた支持脚差込用の２個の挿入孔は、１側面のセンターから等間隔で、かつ所定の傾斜角度（例えば１０°）で左右方向に傾斜する傾斜面に画像表示装置を設置しても転倒しない間隔位置に配置されるのが望ましい。また、挿入孔に差し込んだ支持脚の抜けを防止する固定ビスを枠部の裏面側に設けるのも好ましい。このように固定ビスを設ければ
▲４▼支持脚を表示パネルの上辺の挿入孔に差し込んで抜け止め固定すれば、台座部を部屋の天井や棚板等に固定して吊り下げ状態あるいは台座部を壁に固定して側方から片持ち梁状に支持した状態で画像表示装置を設置することができる。また、別体のフリーアームを用いることによるフリーアーム対応も容易である。
なお、本発明において、上下左右の表現は、矩形状の表示パネルを通常の横長状態で設置して見た場合を意味している。
【００１２】
本発明において、支持脚は、支柱を台座に対して角度調整可能に固定する角度調整部をさらに有してなるものであってもよい。この角度調整部としては、例えば回動軸式と、ボールジョイント式を挙げることができる。なお、具体的な構造は後述の実施の形態にて説明する。
このような角度調整部を支持脚に設けることにより、表示パネルを垂直な９０°を基準として前後に所定の角度範囲に傾けた状態で支持することができるので、使用者の姿勢や使用状況や画像表示装置の設置場所等に応じて画面を俯け気味あるいは仰向け気味に傾けることができる。
【００１３】
本発明において、支持脚は、左右の何れにも共用可能な形状に形成されているものとすることが、低コストにて量産できる点で好ましい。なお、支持脚の具体的な形状は、挿入孔に差し込める棒状部を少なくとも有し、左右共用可能で、かつ表示パネルを安定して支持できる形状であれば特に限定されるものではなく、各種デザインが考えられる。
【００１４】
本発明において、左右一対の支持脚が、表示パネルからの突出寸法をそれぞれ独立して調整可能とされたものであってもよい。この場合、表示パネルが横長の通常状態のとき、あるいは表示パネルが縦長のポートレート状態のときに表示パネルの高さを調整するための機構とすることができるが、特に前者の場合に好適であり、例えば次の（Ａ）、（Ｂ）、（Ｃ）のように構成することができる。
（Ａ）枠部の長辺側となる下の側面に複数対の挿入孔を設ける。これら複数対の挿入孔は、各対毎に異なる深さに設定される。この場合、安定性を考慮して、センター寄りほど深さの深い挿入孔とするのが好ましい。また、支持脚の挿入孔への差込量が規制されるように、挿入孔の奥部に当たり止めとしての底や段部を設けてもよい。あるいは支持脚の棒状部の端部に切欠を形成し、一方挿入孔側には切欠に当接する段部を形成し、差込量の規制と支持脚の回り止めの両方を行うようにしてもよい。あるいは、各対の挿入孔の奥部に連通するネジ孔を枠部の裏面に設け、かつ各対のネジ孔に螺着し、挿入孔内の支持脚の棒状部に圧接又は棒状部に形成した孔部や凹部等に係合する固定ネジを設けてもよい。
上記構成（Ａ）の場合、深さの浅い対の挿入孔に各支持脚を差し込めば、各支持脚の突出寸法が大きくなって設置面からの表示パネルの高さを高くすることができ、支持脚を深さの深い対の挿入孔に差し変えれば、各支持脚の突出寸法が小さくなって設置面からの表示パネルを低くすることができるというように、表示パネルの高さ調整を複数段階で行うことができる。
（Ｂ）枠部の長辺側となる下の側面に設けた左右一対の挿入孔におのおの連通するネジ孔を、各挿入孔に沿って枠部の裏面に所定間隔で複数対形成すると共に、各対毎のネジ孔に螺着し、左右の支持脚の棒状部に圧接又は棒状部に形成した孔部や凹部等に係合して固定する２個の固定ビスを設ける。
構成（Ｂ）の場合、各支持脚の突出量を固定ビスにて調整することにより、設置面からの表示パネルの高さを複数段階で調整することができる。また、表示パネルの１側面に設ける挿入孔の数は２個で済むので構造を簡素化できる利点もある。
（Ｃ）枠部の長辺側となる下の側面に設けた左右一対の挿入孔に連通するネジ孔を１個ずつ設け、各ネジ孔に螺着し、左右の支持脚の棒状部に圧接し、又は左右の支持脚の棒状部に軸方向に複数形成した孔部や凹部や周溝に係合して固定する２個の固定ビスを設ける。
構成（Ｃ）の場合も、各支持脚の突出量を固定ビスにて調整することにより、設置面からの表示パネルの高さを無段階又は複数段階で調整することができる。また、表示パネルの１側面に設ける挿入孔の数は２個で済むので構造を簡素化できる利点もある。
また、上記（Ａ）、（Ｂ）、（Ｃ）の各構成は、各支持脚の突出寸法をそれぞれ独立して調整することができるので、右と左の支持脚の突出寸法を異ならせれば、段差や傾きを有する設置面でも表示パネルの左右の水平度を保って画像表示装置を設置することができる。
【００１５】
本発明において、上記（２）の表示パネルを支持部材にて複数枚連結してマルチモニタを形成することができる画像表示装置の場合、表示パネルの枠部は、上下左右の４側面のうち、上下の側面及び／又は左右の側面にそれぞれ１個以上の挿入孔が設けられ、支持部材は、両端に棒状部を有し、縦及び／又は横に隣接して並設した複数枚の表示パネルの挿入孔に両端の棒状部がそれぞれ差し込まれて表示パネルを相互に連結する連結棒として構成することができる。
例えば、表示パネルの上下左右の４側面にそれぞれ１個以上の挿入孔を設ければ、縦（上下方向）に複数枚×横（左右方向）に複数枚で表示パネルを並べ、かつ隣接する各表示パネル同士を連結棒にて連結することにより、各連結棒を介して各表示パネルが互いに支持し合った１枚の大きなマルチモニタを形成することができる。この場合も、例えば連結棒の固定ビスを設けて、各表示パネルが不意に分解しないようにすることが好ましい。
なお、表示パネルの左右の２側面のみに挿入孔を設けたり、あるいは上下の２側面のみに挿入孔を設けるようにして、画面面積を横に拡大あるいは縦に拡大したマルチモニタを得ることもできるが、上下左右の４側面に挿入孔を設けておけば上述のような縦横の拡大、横のみの拡大、縦のみの拡大の他に、任意の形状（例えば簡単な文字や数字や図形等）などに画面面積を拡大でき、マルチモニタの組立て自由度が大きい点で好ましい。
【００１６】
また、この画像表示装置の場合、縦及び／又は横に隣接して並設した複数枚の表示パネルの左右両側に配置され、左右両側の表示パネルの挿入孔に一端を差し込んだ連結棒の他端を差し込む孔部を有する左右一対のスタンド部材をさらに備えてなる構成とするのもよい。
このようにすれば、複数枚の表示パネルを縦及び／又は横に連結して構成したマルチモニタ、特に、縦横に連結して構成したマルチモニタを、左右一対のスタンド部材にて容易に垂直状態に支持することができる。
【００１７】
【発明の実施の形態】
以下、本発明に係る画像表示装置の実施の形態を図面に基づいて詳説する。なお、本発明は実施の形態に限定されるものではない。
【００１８】
［実施の形態１］
図１は本発明の実施の形態１の画像表示装置の各種状態を示す斜視図であり、図２は同実施の形態１の画像表示装置の分解図であり、図３は同実施の形態１の画像表示装置におけるリアカバーを示す斜視図であり、図４は同実施の形態１の画像表示装置における支持脚の一部を示す斜視図である。
【００１９】
この実施の形態１の画像表示装置Ｇ１は、２脚式スタンド構造であって、画像を表示する画面部１１及びこの画面部１１に取り付けられた枠部１２を有する表示パネル１と、Ｌ字状の支柱２１及び台座２２をそれぞれ有し、表示パネル１を支持する左右一対の支持脚２、２とを備え、図１（ａ）〜（ｆ）に示すような各種状態にすることができる。ここで、図１の各種状態を説明すると、同図（ａ）は表示パネルの高さを低くした状態であり、同図（ｂ）は表示パネルの高さを高くした状態であり、同図（ｃ）は表示パネルを縦長にしたポートレート状態であり、同図（ｄ）は表示パネルを天井や棚等に設置する状態であり、同図（ｅ）は画像表示装置を梱包する際の状態であり、同図（ｆ）は表示パネルから支持脚を取り外した状態である。
【００２０】
表示パネル１の画面部１１は、矩形状の液晶ディスプレイ１１ａと、液晶ディスプレイ１１ａの裏面側に設けられる図示しない基板等と、基板等及び液晶ディスプレイ１１ａを収納するフレーム１１ｂとを備える。
【００２１】
表示パネル１の枠部１２は、液晶ディスプレイ１１ａの表面を外部に露出させる矩形状の開口部を有し、かつ内面側に画面部１１を収納する図示しない収納凹所を有するフロントパネル１２ａと、画面部１１を収納したフロントパネル１２ａの背面にビスにて取り付けられるリアカバー１２ｂとを備える。
【００２２】
また、枠部１２は、上下左右の４側面に、２本の支持脚２、２の支柱２１、２１を画面部１１と平行な方向から差しこむための２個以上の挿入孔をそれぞれ有している。具体的には、枠部１２の下の側面（下端面）に、左右方向のセンターＣ１に対して対称に深さの異なる複数対の挿入孔１３ａ、１３ａ、１３ｂ、１３ｂ、１３ｃ、１３ｃが設けられ、枠部１２の上の側面（上端面）に、左右方向のセンターＣ１に対して対称に一対の挿入孔１４、１４が設けられ、枠部１２の左右の側面に、上下方向のセンターＣ２に対して対称に一対の挿入孔１５、１５、１６、１６が設けられている。
【００２３】
枠部１２の各挿入孔は、フロントパネル１２ａの内面とリアカバー１２ｂの内面にそれぞれ形成された半割り筒部１７、１７、…からなる。なお、図面ではリアカバー１２ｂ側の半割り筒部１７、１７、…のみを図示しているが、フロントパネル１２ａ側の半割り筒部も略同一形状である。
【００２４】
枠部１２の各挿入孔において、下の側面の深さの異なる複数対の挿入孔１３ａ、１３ａ、１３ｂ、１３ｂ、１３ｃ、１３ｃのうち、内側の挿入孔１３ａ、１３ａの深さ寸法がＬ１は、図１（ａ）のように各支持脚２、２を深く差し込んで表示パネル１の高さを低くできる寸法に設定され、一方外側の挿入孔１３ｃ、１３ｃの深さ寸法Ｌ２は、図１（ｂ）のように各支持脚２、２を浅く差し込んで表示パネル１の高さを高くできる寸法に設定されている。実施の形態１の場合、枠部１２の縦寸法Ｗ１：２６４ｍｍ、横寸法Ｗ２：３３７ｍｍに対して、上記深さ寸法Ｌ１：４１ｍｍ、深さ寸法Ｌ２：１７ｍｍに設定されている。また、残りの挿入孔１３ｂ、１３ｂは、内側の挿入孔１３ａ、１３ａよりも深い深さ寸法Ｌ３：    ５４ｍｍに設定されており、図１（ｅ）のように台座２ｂ、２ｂを表示パネル１と平行に向けた状態で支持脚２、２をより深く差し込んでコンパクトな梱包状態にするための孔である。また、内側の挿入孔１３ａ、１３ａの間隔寸法Ｐは、図１（ａ）のように画像表示装置Ｇを設置した状態で左右方向に所定角度（例えば１０°）傾けても転倒しない寸法に設定されており、この場合１２０ｍｍに設定されている。したがって、外側の挿入孔１３ｃ、１３ｃは上記間隔寸法よりも大きい寸法（この場合２００ｍｍ）に設定されている。
また、枠部１２の上の側面の挿入孔１４、１４及び左右の側面の挿入孔１５、１５、１６、１６は、上記挿入孔１３ｂ、１３ｂの深さ寸法Ｌ３と略等しい深さで、かつ上記挿入孔１３ａ、１３ａの間隔寸法Ｐと略等しい間隔で設けられている。
また、挿入孔１３ｂ、１３ｂを除く全ての挿入孔におけるリアカバー１２ｂ側の内端には、挿入孔に差し込んだ支持脚２、２を固定するためのビスを螺着させるネジ孔１８が形成されている。
【００２５】
支持脚２は、上述の支柱２１及び台座２２を有すると共に、支柱２１を台座２２に対して角度調整可能に固定する回動軸式の角度調整部２３を有している。以下、支持脚２の各構成部について説明する。
【００２６】
支柱２１は、鉛直方向に延びる長辺部２１ａと、長辺部の下端から水平方向に突出した短辺部２１ｂとからなり、Ｌ字状に折れ曲がった金属丸棒材にて構成されている。長辺部２１ａの先端には、断面半円形に切欠いた切欠部２１ｃと、短辺部２１ｂの軸心方向と直交する方向の係合孔２１ｄが形成されており、一方短辺部２１ｂの先端外周面には角度調整部２３の後述するナット２３ｅを螺着させるための雄ネジと、この雄ネジの一部を切欠いて形成された平行な２つの平坦面とが設けられている。なお、上記切欠部２１ｃは、表示プレート１の下の側面の中間の挿通孔１３ｂに支持脚２の支柱２１を、図１（ｅ）（ｆ）のように台座２２を表示プレート１と平行にして差し込んだ際に、支持脚２が回らないようにするためのものであり、挿通孔１３ｂの奥部には切欠部２１ｃに係合する凸部が設けられる。これによって、この挿通孔１３ｂ、１３ｂの位置では支持脚２、２の台座２２、２２を前後方向に延ばして表示パネル１を支持させることができないようにしている。
【００２７】
角度調整部２３は、支柱２１の短辺部２１ｂを挿通させる挿通孔及びこの挿通孔の近傍に設けられた円弧状の角度制限孔２３ｂを鉛直面部に有し、かつ水平面部に後述するビス２４、２４を挿通させる前後一対の孔２３ｆ、２３ｆを有する断面Ｌ字状の折曲板２３ａと、支柱２１の短辺部２１ｂを挿通させて短辺部２１ｂと一体的に回動可能なリング部を有し、かつリング部に一体状に連設され、上記角度制限孔２３ｂに挿入される折曲片を有する角度制限プレート２３ｃと、支柱２１の雄ネジに螺合し、ワッシャ２３ｄを介して角度制限プレート２３ｃを締め付ける上記ナット２３ｅとからなる。
【００２８】
台座２２は、角度調整部２３の折曲板２３ａをビス２４にて下方から取り付けるためのボス部及び短辺部２１ｂを挿通させる切欠を２２ｂを長手方向の中間位置に有し、かつ両端に円筒状のボルト挿通部２２ｃが形成された台座本体２２ａと、台座本体２２ａの前後のボルト挿通部２２ｃ、２２ｃの下部にそれぞれ設けられたリング状ゴム足２２ｄ、２２ｄとからなる。
【００２９】
このように構成された画像表示装置Ｇ１は、支持脚２の台座２２に対して支柱２１の長辺部２１ａが短辺部２１ｂの軸心廻りに揺動可能であり、長辺部２１ａの前後の揺動に際して、角度調整部２３の角度制限プレート２３ｃが短辺部２１ｂと一体的に回動し、折曲片が角度制限孔２３ｂの縁部に当接することにより揺動が一定範囲（表示パネル１を安定して支持可能な角度範囲）に制限され、かつナット２３ｅの締め付けトルクによって支柱２１を所望の傾斜角度に維持させることができる。また、支持脚２は、その外観形状が、支柱２１に対して前後が略対称、すなわち左右の何れにも共用可能な形状に形成されている。
また、図１で説明したように、一対の支持脚２、２を表示パネル１の下の側面にある内側の挿入孔１３ａ、１３ａに差し込み、図示しない固定ビスをネジ孔に螺着して支持脚２、２の先端の係合孔２１ｄ、２１ｄに係合して固定することにより、同図（ａ）のように表示パネル１の高さを低くした状態で設置することができ、支持脚２、２を外側の挿入孔１３ｃ、１３ｃに差し替えて固定すれば、同図（ｂ）のように表示パネル１の高さを高くした状態で設置することができる。また、表示パネル１の左の側面にある一対の挿入孔１５、１５又は右の側面にある一対の挿入孔１６、１６に一対の支持脚２、２を差し込んで固定すれば、縦長のポートレート状態にして設置することができる。さらに、表示パネル１の上の側面にある一対の挿入孔１４、１４に一対の支持脚２、２を差し込んで固定し、かつ各台座２２の各ボルト挿通部２２ｃ、２２ｃ、…にボルトを通して天井や棚等に設けたネジ孔に螺着すれば、表示パネル１を吊り下げた状態で設置することができる。このように、本発明は、支持脚２、２の取付位置を変えるだけの簡単な構造でありながら、各種状態に切替えて使用することができ、低コストにて多機能を備えた画像表示装置Ｇ１を提供することができる。また、画像表示装置Ｇ１は、梱包に際しては、表示パネル１の下の側面にある中間位置の挿入孔１３ｂ、１３ｂに差し込めば、各台座２２、２２が表示パネル１と略平行な状態となって全体の厚みが表示パネル１の厚みまで減少してコンパクト化し、輸送梱包費を低減することができる。
【００３０】
［実施の形態２］
図５は本発明の実施の形態２の画像表示装置におけるリアカバーを示す斜視図である。上記実施の形態１では、表示パネルの１側面に複数対の異なる深さの挿入孔を設けることにより表示パネルを高さ調整可能としたが、この実施の形態２では、高さ調整の構成が実施の形態１とは異なり、その他の構成は同様である。
【００３１】
実施の形態２の画像表示装置の場合、表示パネル１の下の側面には挿入孔が一対のみ設けられ、枠部の裏面の各挿入孔に沿って、すなわちリアカバー３０の各半割り筒部３１、３１に複数個のネジ孔３２、３２、…が形成される。このようにすれば、上下複数対のネジ孔３２、３２、…のうちから一対を選択して固定ネジを螺着し、固定ネジにて各挿入孔に差し込んだ支持脚の先端の係合孔（図４参照）に係合して固定することにより、各支持脚は選択したネジ孔３２、３２に応じた突出量となり、表示パネルの高さ調整が可能となる。
【００３２】
［実施の形態３］
図６は本発明の実施の形態３の画像表示装置を示す斜視図であって、同図（ａ）は使用状態を表し、同図（ｂ）は梱包可能状態を表し、図７は同実施の形態３における支持脚の分解図であり、図８は同実施の形態３における支持脚の断面図である。この実施の形態３は、支持脚の構造が上記実施の形態１、２とは異なるものであり、その他の構造は実施の形態１（又は２）と同様であり、同一の要素には同一の符号を付している。
【００３３】
この実施の形態３の画像表示装置Ｇ３の支持脚４０は、支柱４１及び台座４２を有すると共に、支柱４１を台座４２に対して角度調整可能に固定するボールジョイント式の角度調整部４３を有している。
【００３４】
支柱４１は、ストレートな金属丸棒からなり、その先端には周方向に係合溝４１ａが形成されると共に、下端面には後述のボールジョイント４３ａを取り付けるためのネジ孔４１ｂが形成されている。
台座４２は、下方開口状の略直方体形の台座本体４２ａと、その両端の下面側に付設される一対のリング状ゴム足４２ｂ、４２ｂとからなる。台座本体４３ａは、長手方向の中間位置に、ボールジョイント４３ａと嵌合するリブにて形成された半球状凹部４２ｃ及びこの凹部４２ｃの周囲近傍に設けられ後述のビス４３ｄを螺着させる複数のボス部４２ｄを有すると共に、両端に円筒状のボルト挿通部４２ｅ、４２ｅが設けられている。また、台座本体４２ａは、上面側に上記凹部４２ｃと連通し、支柱４１を挿通させる長孔４２ｆを有し、この長孔４２ｆの長手方向は台座本体４２ａの長手方向に合わせられている。
角度調整部４３は、支柱４１に取り付けるためのビス４３ｂの挿入孔を有する上記ボールジョイント４３ａと、ボールジョイント４３ａと嵌合する半球状凹部を有する押えプレート４３ｃと、押えプレート４３ｃを台座本体４２ａに取り付ける４本の上記ビス４３ｄとからなる。
【００３５】
このように構成された支持脚４０によれば、ボールジョイント４３ａが台座４２の半球状凹部４２ｃと押えプレート４３ｃの半球状凹部にて摺動可能に挟持されているので、台座４２に対して支柱４１が長孔４２ｆに沿って揺動可能であり、支柱４１の前後の揺動に際して、支柱４１が長孔ｆの縁部に当接することにより揺動が一定範囲（表示パネル１を安定して支持可能な角度範囲）に制限され、かつボールジョイント４３ａと台座４２及び押えプレート４３ｃとの摩擦抵抗によって支柱４１を所望の傾斜角度に維持させることができる。また、支持脚４０は、その外観形状が、支柱４１に対して前後が略対称形であり、左右の何れにも共用可能である。
【００３６】
［実施の形態４］
図９は本発明の実施の形態４の画像表示装置を用いたマルチモニタを示す斜視図であり、図１０は図９のマルチモニタを分解した状態を示す分解図である。この実施の形態４の画像表示装置Ｇ４は、表示パネルを支持部材にて複数枚連結してマルチモニタを形成することができるものであって、表示パネルは上記実施の形態１（又は２）と同様であり、支持部材として支持脚の代わりに連結棒を備えている。なお、実施の形態３において、実施の形態１と同一の要素には同一の符号を付している。
【００３７】
支持部材としての連結棒５０は、ストレートの金属丸棒からなり、その両端には、切欠部と、後述する固定ビスと係合する係合孔とを有している。すなわち、連結棒５０は、図４で説明した支持脚の支柱２１の先端形状を両端に有している。
【００３８】
また、この実施の形態４の画像表示装置Ｇ４は、表示パネル１を連結部材５０にて複数枚連結して形成したマルチモニタＭの左右両側に配置され、左右両側の表示パネル１の挿入孔に一端を差し込んだ連結棒５０の他端を差し込む孔部５２ａを有する左右一対のスタンド部材５１、５１をさらに備えてなる。
スタンド部材５１は、倒立Ｔ字形であり、垂直支柱部５２と、垂直支柱部５２の下端に設けられた台座部５３とからなり、垂直支柱部５２における台座部５３と直交する側の内側面に、上下所定間隔で複数個の上記孔部５２ａが形成されている。
【００３９】
次に、この画像表示装置Ｇ４を用いてマルチモニタＭを形成する手順について説明する。
例えば、表示パネル１を縦２枚×横２枚で並設してマルチモニタを形成するに際しては、縦及び横に並べた各表示パネル１の隣接する各側面、すなわち上下の側面及び左右の側面にそれぞれ有している一対の挿入孔に、連結棒５０をそれぞれ差し込む。この際、隣接する表示パネル１、１の側面が当接するよう、連結棒５０の長さが挿入孔の深さの略２倍に設定されている。次いで、連結棒５０を差し込んだ各挿入孔に対応する各表示パネル１の裏面のネジ孔（図３参照）に上記固定ビスを螺着し、各固定ビスにて各連結棒５０を固定する。これによって、縦２枚×横２枚の計４枚の表示パネル１が８本の連結棒５０にて平面性を維持された状態で相互に接続してなるマルチモニタＭが形成される。そして、このマルチモニタＭの左右側面の挿入孔に連結棒５０を差し込み、固定ビスにて固定すると共に、２本のスタンド部材５１、５１をマルチモニタＭの左右に配置し、各スタンド部材５１の各孔部５２ａ、５２ａにマルチモニタＭの左右側面から突出する各連結棒５０を差し込んで固定する。スタンド部材５１への連結棒５０の固定は、スタンド部材５１の垂直支柱部５２の後面側にネジ孔を設け、このネジ孔に螺着したビスを連結棒５０の係合孔に係合させることができる。なお、分解に際しては、上述の組み立てと逆の手順をたどればよい。
【００４０】
このような画像装置Ｇ４によれば、複数枚の表示パネル１を縦横連結してマルチモニタを容易に形成することができ、かつ左右一対のスタンド部材５１、５１にてマルチモニタＭを垂直状態に支持することができるので、例えば店頭にマルチモニタＭを簡易的に設置して所望の宣伝画像を表示することができる。
【００４１】
［他の実施の形態］
１．上記実施の形態１〜３では、表示パネルの下の側面に深さの異なる複数対の挿入孔を設け、あるいは表示パネルの下の側面に設けた１対の挿入孔に複数個の固定ビス用のネジ孔を形成し、挿入孔からの支持脚の突出量を変更して表示パネルを横長状態で高さ調整できる場合を例示したが、表示パネルの左右の側面も同様に構成して表示パネルを縦長状態で高さ調整できるようにしてもよい。
２．上記実施の形態４では、縦２枚×横２枚に表示パネルを並設してマルチモニタを形成した場合を例示したが、マルチモニタはこれに限定されず、表示パネルを縦３枚以上×横３枚以上並設したり、縦方向のみ並設したり、横方向のみ並設したマルチモニタとすることも可能である。
【００４２】
【発明の効果】
本発明の画像表示装置によれば、スタンドが小型かつ簡単な構造であり、低コストにて製作することができる画像表示装置、あるいは表示パネルを支持部材にて複数枚連結して画面面積が拡大したマルチモニタを容易に形成することができる画像表示装置を提供することができる。つまり、ユーザー側が要望する様々なシーンにおいて画像表示装置を使用することができる。
【図面の簡単な説明】
【図１】図１は本発明の実施の形態１の画像表示装置の各種状態を示す斜視図である。
【図２】同実施の形態１の画像表示装置の分解図である。
【図３】同実施の形態１の画像表示装置におけるリアカバーを示す斜視図である。
【図４】同実施の形態１の画像表示装置における支持脚の一部を示す斜視図である。
【図５】本発明の実施の形態２の画像表示装置におけるリアカバーを示す斜視図である。
【図６】本発明の実施の形態３の画像表示装置を示す斜視図であって、同図（ａ）は使用状態を表し、同図（ｂ）は梱包可能状態を表す。
【図７】同実施の形態３における支持脚の分解図である。
【図８】同実施の形態３における支持脚の断面図である。
【図９】本発明の実施の形態４の画像表示装置を用いたマルチモニタを示す斜視図である。
【図１０】図９のマルチモニタを分解した状態を示す分解図である。
【図１１】従来の１脚式スタンドの画像表示装置を示す斜視図である。
【図１２】従来の２脚式スタンドの画像表示装置を示す斜視図である。
【符号の説明】
１１  画面部
１２  枠部
１  表示パネル
２、４０  支持脚（支持部材）
１３ａ、１３ｂ、１３ｃ、１４、１５、１６  挿入孔
【図１】
2004309906.tif 000003
【図２】
2004309906.tif 000004
【図３】
2004309906.tif 000005
【図４】
2004309906.tif 000006
【図５】
2004309906.tif 000007
【図６】
2004309906.tif 000008
【図７】
2004309906.tif 000009
【図８】
2004309906.tif 000010
【図９】
2004309906.tif 000011
【図１０】
2004309906.tif 000012
【図１１】
2004309906.tif 000013
【図１２】
2004309906.tif 000014